(57)【要約】【課題】口型とガイドリングの嵌合関係だけで仕上げ型側で口型が開くときのガイドリングの回転とそれによるパリソンの向きの変化を防止できるようにする。【解決手段】  粗型２によるパリソン４の成形時に口型１とその各口型半体１ａ、１ｂの間に嵌合保持されるガイドリング６との組合せによりパリソン４にびんの口部４ａを成形し、成形したパリソン４を口型１により仕上げ型５に移した後、口型１を開いて仕上げ型５から退避させパリソン４を仕上げ成形に供するのに、口型１を開く際に口型１とガイドリング６との口型１の開閉を可能とする嵌合部１１間の口型１の開閉方向Ｘに平行な指向性のある案内でガイドリング６の回転を防止し、開き後の口型１をパリソン４から退避させることにより、上記目的を達成する。【選択図】  図１
2006206357.tif 000002
【特許請求の範囲】
【請求項１】
２つ割りの粗型によるパリソンの成形時に２つ割りの口型とその各口型半体の間に嵌合保持されるガイドリングとの組合せによりパリソンにびんの口部を成形し、成形したパリソンを口型により２つ割の仕上げ型に移した後、口型を開いて仕上げ型から退避させパリソンを仕上げ成形に供する製びん方法において、
口型を開く際に口型とガイドリングとの口型の開閉を可能とする嵌合部間の口型の開閉方向に平行な指向性のある案内でガイドリングの回転を防止し、開き後の口型をパリソンから退避させることを特徴とする製びん方法。
【請求項２】
２つ割りの口型とその各口型半体間に嵌合されたガイドリングとの組合せによりびんの口部を成形する製びん機の口型・ガイドリング組合せ構造において、
口型とガイドリングとの口型の開閉を可能とする嵌合部間に、口型の開き動作時ガイドリングの回転を防止するよう口型の開閉方向に平行に相対移動しながら当り合う当り部を設けたことを特徴とする製びん機の口型・ガイドリング組合せ構造。
【請求項３】
当り部は、ガイドリングと少なくとも片側の口型半体との、嵌合部の開閉方向で見た輪郭の少なくとも周方向１箇所に設けられている請求項２に記載の製びん機の口型・ガイドリング組合せ構造。
【請求項４】
当り部は、口型の開閉方向に摺動し合う凹凸嵌合部である請求項３に記載の製びん機の口型・ガイドリング組合せ構造。
【請求項５】
当り部は口型の開閉方向に連続している請求項４に記載の製びん機の口型・ガイドリング組合せ構造。
【請求項６】
凸嵌合部は、ガイドリングのフランジ部の側縁であり、凹嵌合部は前記フランジ部を嵌合させるポケット部がなしている口型の溝状の端部である請求項４、５のいずれか１項に記載の製びん機の口型・ガイドリング組合せ構造。
【請求項７】
凸嵌合部はガイドリングのフランジ部の両側縁であり、凹嵌合部は前記フランジ部を嵌合させるポケット部がなしている口型の溝状の両端部である請求項４、５のいずれか１項に記載の製びん機の口型・ガイドリング組合せ構造。
【請求項８】
当り部による開閉される口型とガイドリングとの開閉方向に平行な案内域は、口型の開閉ストロークよりも大きい請求項２〜７のいずれか１項に記載の製びん機の口型・ガイドリング組合せ構造。
【請求項９】
当り部による開閉される口型とガイドリングとの開閉方向に平行な案内域は、各口型半体の双方にほぼ均等に跨っている請求項２〜８のいずれか１項に記載の製びん機の口型・ガイドリング組合せ構造。
【発明の詳細な説明】
【技術分野】
【０００１】
本発明は、粗型によるパリソンの成形時に２つ割りの口型とこれら各口型半体の間に嵌合されるガイドリングとの組合せによりびんの口部を成形し、成形したパリソンを口型により仕上げ型に移した後、口型を開いて仕上げ型から退避させパリソンを仕上げ成形に供する製びん方法とそれに用いる製びん機の口型・ガイドリング組合せ構造に関するものである。
【背景技術】
【０００２】
本発明の実施の形態を示す図４を参照して、製びん工程につきその概略を説明する。まず、仮想線で示すように口型１がセットされた粗型２内にゴブが投入される。次いで、粗型２がバッフル３により閉じられ、プランジャの圧入かエアブローによってゴブをプレスしあるいは膨らませて、口型１および粗型２に沿わせパリソン４の胴部とそのびんの口部４ａを成形する。パリソン成形後、バッフル３が退避し粗型２が開いたタイミングで、口型１が保持しているパリソン４を実線で示すようにインバート機構１０の反転アーム１０ａにより開いている仕上げ型５の側へ移す。その後仕上げ型５が閉じたタイミングで口型１を開いて仕上げ型５から退避させて粗型２側に戻し、仕上げ型５に口型１に代って当てがった図示しないブローヘッドからのブローによってパリソン４を膨らませて仕上げ型５に沿わせ仕上げ成形する。
【０００３】
ところで、仕上げ型５によりパリソン４を仕上げ成形する際に、パリソン４が粗型２で成形されたときの口型１に対する軸線２２まわりの向きが変化していることがある。つまり、回転していることがある。このようなことがあると、口部にできる粗型２の合わせ目に対応するラインと、胴部にできる仕上げ型５の合わせ目に対応するラインとの間にずれが生じる。これは意匠性の問題であるが、胴部が円形でない変形びんの場合であると、それに近い、あるいはほぼ相似な胴まわり形状に予備成形されるパリソン４を仕上げ型５に移して仕上げ成形するとき、仕上げ型５の姿面の形状に対応せず、肉厚不均一などの成形不良の原因になるので回避しなければならない。また、びんの胴部の向きと口部のねじの向きとの位置関係にバラツキが生じる。
【０００４】
このような仕上げ型５に移したパリソン４の回転原因については従来から知られ（例えば、特許文献１参照。）、種々な対策が行われている（例えば、特許文献１〜５参照。）。特許文献１はパリソンの仕上げ型での回転について、特に、口部にねじを形成した場合等に顕著で、口型とパリソンとの間に抵抗がある場合や、パリソンの口部端面およびこの端面周縁部から口部周面にかけて密着している端面成形用のフィニッシングプレート、別名ではガイドリングと、口型との間に抵抗がある場合等に、口型が開く際にパリソンに回転力が加わったり、あるいは中心位置がずれるような力が加わりずれてしまうものである旨指摘しており、口型が口型ホルダーの中で多少のガタがある場合には頻繁に発生するとしている。
【０００５】
これに対応するのに、特許文献１、２に記載のものは、図５、図６に示すように２つ割りの口型ａの各口型半体ａ１、ａ２間に嵌合するガイドリングｂの直径線上２箇所に、各口型半体ａ１、ａ２の合わせ目に位置し、かつ、図６に示すように口型ａの粗型および仕上げ型への対向面に突出する位置決めピンｄを設けてある。これにより、口型ａが粗型にセットするために閉じられるとき、その各口型半体ａ１、ａ２間に位置決めピンｄを挟み込むことでガイドリングｂを口型ａに対しその軸線まわりに位置決めし、粗型へのセット時に粗型側に形成している係合部に位置決めピンｄの口型ａからの突出部が係合し合い、粗型に対しガイドリングｂが位置決めされた状態でパリソンの成形が行われる。口型ａが成形後のパリソンを仕上げ型に移したときは仕上げ型側に形成している係合部に位置決めピンｄの口型ａからの突出部が係合し合い、仕上げ型に対してガイドリングｂが位置決めされる。従って、パリソンを移して仕上げ型が閉じた後に口型ａは退避のために開かれるが、このときガイドリングｂは位置決めピンｄが仕上げ型側の係合部に位置決めされたままであるので、図５（ａ）の状態から図５（ｂ）の状態に回転されるようなことが防止される。この結果、ガイドリングｄの口型ａが開くときの動きによってパリソンが軸線まわりに回転することが防止される。
【０００６】
一方、特許文献３〜５は、パリソンの胴部まわりの一部または首部まわりの一部に、粗型または口型により位置決め用の凸部または凹部を成形しておき、口型がパリソンを仕上げ型に移して仕上げ型が閉じたときパリソンの凸部または凹部が仕上げ型に形成している凹部または凸部に係合し合うことによって、仕上げ型が閉じた後に口型が開くときの動きによってパリソンが回転するのを防止する技術を開示している。
【特許文献１】特開平６―２９３５２４号公報
【特許文献２】特開２００１−３０２２５７号公報
【特許文献３】特開昭５８−１１０４３６号公報
【特許文献４】実開平４−３３６３０号公報
【特許文献５】特開平９−８６９３８号公報
【発明の開示】
【発明が解決しようとする課題】
【０００７】
しかし、特許文献１、２に記載のような位置決め方式によれば、ガイドリングに２本の位置決めピンを植設し、この位置決めピンの口型からの突出によって粗型および仕上げ型の双方との間で共通した位置関係のもとに位置決めする機構が必要なため、構造および加工、組立てが複雑になって高価につく。また、口型は粗型と仕上げ型の間を反転アーム１０ａの反転軸１０ｂを中心にした円弧軌跡を描いて移動されるので、仕上げ型から突き出る口部４ａの長いびんであるほど口型が仕上げ型から退避するときに位置決めピンがびんの口部に干渉しやすく、口型およびガイドリングを大きくして位置決めピン間の距離を大きくするなど、前記干渉を解消する工夫が必要であったり、びんの種類によってはこのような位置決め方式は採用できない問題がある。さらに、口型の位置決めピンが仕上げ型の係合部に係合して位置決めする構造上、仕上げ型が完全に閉じてからでないと口型の位置決めピンが仕上げ型の係合部に係合しないので、仕上げ型が閉じて少ししてからしか口型を開くことができず、近時のさらなる高速稼動の要求に応え難い。
【０００８】
一方、特許文献３〜５に記載のような位置決め方式によれば、びんの口部まわりの一部や胴部まわりの一部に凸部や凹部を形成する必要があるので、びんの意匠性を低下させる上、口部まわりや胴部まわりにラベルを貼付けるような場合、ラベルに浮きや皺が生じる問題がある。また、粗型および仕上げ型の双方に共通した位置関係を保って凹部や凸部を形成する必要があるので、加工に手間が掛かり高価につく。
【０００９】
本発明の目的は、口型とガイドリングの嵌合関係だけで仕上げ型側で口型が開くときのガイドリングの回転とそれによるパリソンの向きの変化を防止できる製びん方法とそれに用いる製びん機の口型・ガイドリング組合せ構造を提供することにある。
【課題を解決するための手段】
【００１０】
上記のような目的を達成するために、本発明の製びん方法は、２つ割りの粗型によるパリソンの成形時に２つ割りの口型とその各口型半体の間に嵌合保持されるガイドリングとの組合せによりパリソンにびんの口部を成形し、成形したパリソンを口型により２つ割の仕上げ型に移した後、口型を開いて仕上げ型から退避させパリソンを仕上げ成形に供する製びん方法において、口型を開く際に口型とガイドリングとの口型の開閉を可能とする嵌合部間の口型の開閉方向に平行な指向性のある案内でガイドリングの回転を防止し、開き後の口型をパリソンから退避させることを特徴としている。
【００１１】
このような構成では、粗型で成形したパリソンを、このパリソンにびんの口部を成形した口型によって仕上げ型に移し仕上げ成形に供して製びんするのに、パリソンを仕上げ型に移した後、口型が開くとき口型とガイドリングとの口型の開きを許容する嵌合部間で得る口型の開閉方向に平行な指向性のある案内にてガイドリングの回転を防止するので、口型が開く際にパリソンがガイドリングの回転によって軸線まわり向きを変化させられることはない。
【００１２】
また、このような製びんに用いる本発明の製びん機の口型・ガイドリング組合せ構造は、２つ割りの口型とその各口型半体間に嵌合されたガイドリングとの組合せによりびんの口部を成形する製びん機の口型・ガイドリング組合せ構造において、口型とガイドリングとの口型の開閉を可能とする嵌合部間に、口型の開き動作時ガイドリングの回転を防止するよう口型の開閉方向に平行に相対移動しながら当り合う当り部を設けたことを主たる特徴としている。
【００１３】
このような構成では、口型とガイドリングの嵌合部間で口型の開閉を許容するのに併せ、口型とガイドリングとの嵌合部間における当り部の、口型の開閉方向に平行に相対移動しながら当り合う指向性を有した案内によって、開かれる口型に対しガイドリングが回転するのを防止することができる。
【００１４】
当り部が、ガイドリングと少なくとも片側の口型半体との、嵌合部の開閉方向で見た輪郭の少なくとも周方向１箇所に設けられている構成では、
口型は直線方向に開閉されるが、それを許容する嵌合部の開閉方向で見た周方向の全周を当り部とすることはできるが、少なくとも周方向１箇所にあれば有効である。
【００１５】
当り部が、口型の開閉方向に摺動し合う凹凸嵌合部である、さらなる構成では、
当り部の凹凸嵌合する嵌合構造上、必要に応じ、凹凸嵌合部間の幅方向の当り合い関係と、凹凸嵌合部の高さ方向での当り合い関係とを利用した２方向に振れを防止する直進案内機能が得られ、口型にそれを開閉できるようにガイドリングを嵌合保持し、かつ、ガイドリングが口型に対して回転するのを防止する案内とに併用できるし、嵌合部の口型の開閉方向で見た輪郭の周方向１箇所にだけ設けるにも、ガイドリングの軸線に直角な平面上で見た凹凸嵌合部の開閉方向に直角な向きでの当り合い関係によってガイドリングの回転を防止することができる。
【００１６】
当り部は、口型の開閉方向に連続することが必須とはならないが、連続している、さらなる構成では、
口型の開閉動作でガイドリングと連続して摺動し合う当り関係を得て、口型の開閉に対しガイドリングをガタツキや少しの回転もなく非回転状態に安定させやすくなる。
【００１７】
凸嵌合部がガイドリングのフランジ部の側縁であり、凹嵌合部が前記フランジ部を嵌合させるポケット部がなしている口型の溝状の端部である、さらなる構成では、
ガイドリングのフランジ側部およびこれを受け入れる口型のポケット部がなす溝状の端部を、口型の開閉方向に向く直線形状とするだけで、ガイドリングの開閉される口型への保持機能と回転防止機能とが得られる。
【００１８】
凸嵌合部がガイドリングのフランジ部の両側縁であり、凹嵌合部が前記フランジ部を嵌合させるポケット部がなしている口型の溝状の両端部である、さらなる構成では、
ガイドリングの両側およびこれを受け入れる口型のポケット部がなす溝状の両端部を口型の開閉方向に向く直線形状とするだけで、ガイドリングの開閉される口型への保持機能と、回転防止機能を嵌合部の両側からの挟み込み状態で安定に得られる。
【００１９】
当り部による口型のガイドリングに対する案内域が、口型の開閉ストロークよりも大きい、さらなる構成では、
当り部による口型の開閉ストロークを超えた案内域によって、口型の開閉ストロークの全域でガイドリングの回転防止機能を不足なく確保することができる。
【００２０】
当り部による口型のガイドリングに対する案内域が、各口型半体の双方にほぼ均等に跨っている、さらなる構成では、
当り部による口型のガイドリングに対する案内域を大きく得やすいし、この案内が、各口型半体の双方とのほぼ均等な抵抗配分のもとに達成されて、ガイドリングの回転はもとより、ガイドリングが開き抵抗の大きな側に片寄るようなことをも防止しやすい。
【００２１】
本発明のそれ以上の目的および特徴は、以下の詳細な説明および図面によって明らかになる。本発明の各特徴は、それ単独で、あるいは可能な限りにおいて種々な組合せで複合して採用することができる。
【発明の効果】
【００２２】
本発明の製びん方法、それに用いる製びん機の口型・ガイドリング組合せ構造によれば、パリソンを仕上げ型に移した後口型が開くとき、ガイドリングとの嵌合部間の案内機能により、口型が開く際のガイドリングの回転に起因したパリソンの向きが変化するのを防止し、意匠性よく、びんの胴部に対するねじの向きにバラツキが生じたりせず、変形びんでも成形不良などなく製びんできる。また、口型などへの特別な付帯部材や粗型および仕上げ型の特別な加工や構造が不要なため、型構造が複雑にならず安価に実現し、口型は粗型や仕上げ型と係合するなどの関係構造が不要であって位置決め性や干渉の問題も生じないため、仕上げ型が完全に閉じる前に口型を開き始められるのでさらなる高速稼動の要求に応えられる。特に、口型・ガイドリング組合せ構造によれば、口型およびガイドリングとの嵌合部間に設ける当り部の簡単な当り合いによってガイドリングの回転防止機能が得られる。
【発明を実施するための最良の形態】
【００２３】
以下、本発明の実施の形態に係る製びん方法とそれに用いる製びん機の口型・ガイドリング組合せ構造について図１〜図４を参照しながら説明し、本発明の理解に供する。なお、以下の説明および図示は、本発明の具体例であって、特許請求の範囲における記載の内容を限定するものではない。
【００２４】
本実施の形態の製びん方法は、図４に主要部を示す製びん機によって行う。その概略は既述したが、ここでは、さらに詳しく説明する。仮想線で示す粗型２および仕上げ型５のいずれも紙面上に合わせ目を持つ２つ割り構造を有し、図示しない開閉機構によって粗型２の各粗型半体２ａ、２ｂどうし、仕上げ型５の各仕上げ型半体５ａ、５ｂどうしがそれぞれの側方に位置した図示しない１つの開閉軸を中心としたスイング方式に紙面の向こう側と手前側とに開かれ、また紙面上に閉じられる。口型１は紙面上に合わせ目を有して、粗型２と仕上げ型５との間に位置したインバート機構１０の反転アーム１０ａの先端に支持され、反転アーム１０ａ上で紙面に直角な直線方向に紙面の向こう側と手前側とに開かれ、また閉じられる。この結果、口型１、粗型２、仕上げ型５の各合わせ目はそれぞれの軸線２２まわりで互いに一致した向きにある。従って、粗型２側では粗型２および口型１とこの口型１に組合せたガイドリング６の間に供給されるゴブを、プランジャによるプレスやブローによりパリソン４およびそのびんの口部４ａを成形するが、パリソン４および口部４ａの粗型２および口型１の合わせ目に対応してできるラインは一致しているし、粗型２で成形したパリソン４を口型１によって保持したまま反転アーム１０ａによって回転軸１０ｂを中心に粗型２側から仕上げ型５側に実線で示すように反転させて仕上げ型５に移し、仕上げ成形するが、仕上げ成形したびんの口型１および仕上げ型５の合わせ目に対応してできるラインも一致するはずである。
【００２５】
しかし、口型１により仕上げ型５に移したパリソン４を仕上げ成形するには、仕上げ型５を閉じる際、口型１を開いて仕上げ型５に移したパリソン４のびんの口部４ａを解放することで、口型１が口部４ａと干渉しない環境を得てから口型１を仕上げ型５上から退避させることが必須で、これによって仕上げ型５上に図示しないブローヘッドを口型１に代って当てがい、パリソン４をブローヘッドからのブローにより仕上げ成形することができる。この口型１が仕上げ型５から退避するために開かれるとき、ガイドリング６は仕上げ型５の軸線２２上となる中央位置に残されるが、開き動作する各口型半体１ａ、１ｂに影響されて回転し仕上げ型５に移した仕上げ成形前のパリソン４の向きを軸線２２まわりに変化してしまうことがあり、パリソン４の胴部と仕上げ型５との合わせ目ラインがずれたり、仕上げ成形したびんの胴部に対する口部４ａのねじの向きにバラツキが生じたり、変形びんに成形不良を招いたりする。
【００２６】
これに対応するのに、本実施の形態では、以上のような図４に仮想線で示す粗型２でのパリソン４の成形時に、図１、図２に示すように２つ割りの口型１とその各口型半体１ａ、１ｂの間に嵌合されるガイドリング６との組合せにより、図４に仮想線で示すようにパリソン４およびそのびんの口部４ａを成形し、成形したパリソン４を図４に実線で示すように口型１により仕上げ型５に移して仕上げ型５が閉じた後、または完全に閉じる前に、口型１を開いてパリソン４から退避させてパリソン４を仕上げ成形に供する製びん方法において、口型１を図１（ａ）、図２（ａ）に示す閉じ状態から図１（ｂ）、図２（ｂ）に示す状態に開く際に、口型１とガイドリング６との口型１の開閉が可能な嵌合部１１間の口型１の開閉方向Ｘに平行な指向性のある案内でガイドリング６の回転を防止し、開き後の口型１をパリソン４から退避させるようにする。
【００２７】
ガイドリング６は口型１の各口型半体１ａ、１ｂにそれらの合わせ面に穿ったポケット部１ａ１、１ｂ１にほぼ半部ずつを収容されて、口型１が開閉可能な嵌合部１１をなしている。口型１が図１（ｂ）、図２（ｂ）の開き状態から図１（ａ）、図２（ａ）に閉じるときの動きによってガイドリング６は抱き寄せられる形で口型１に対し芯合わせ状態とされて、粗型２によるパリソン４の成形と同時にびんの口部４ａを所定の形状に成形し、また成形したパリソン４を仕上げ型５に移したとき、仕上げ型５に対し口型１およびガイドリング６、パリソン４のそれぞれは芯合わせ状態になる。このような芯合わせが精度よく行われるように、口型１およびガイドリング６の嵌合部１１は、口型１の開閉はスムーズであるがガタツキが生じない程度の嵌合度に設定される。しかし、口型１およびガイドリング６は４００℃〜５００℃程度に昇温するので、嵌め合い隙間は凡そ３〜６／１００ｍｍ程度に設定される。
【００２８】
従来、図５、図６に例示するように平面視して円形なガイドリングｂとそれに適合する形状で各口型半体ａ１、ａ２に設けたポケット部ｃ１、ｃ２との嵌合部間で行っていて、口型ａが開くときにガイドリングｂが回転するのを防止できなかったのを、本実施の形態では仕上げ型５にパリソン４を移した口型１が、仕上げ型５の閉じた後に開くとき口型１とガイドリング６との口型１の開きを許容する嵌合部１１間の口型１の開閉方向に平行な指向性のある案内機能でガイドリング６の回転を防止する。これにより、口型１が開く際にパリソン４がガイドリング６の回転によって軸線２２まわりに向きを変化させられることはなく、意匠性よく、びんの胴部に対するねじの向きにバラツキが生じたりせず、変形びんでも成形不良などなく製びんできる。また、口型１などへの特別な付帯部材や粗型２および仕上げ型５の特別な加工や構造が不要なため、型構造が複雑にならず安価に実現する。さらに、口型１は粗型２や仕上げ型５と係合するなどの関係構造が不要なため位置決め性や干渉の問題も生じないため、仕上げ型５が完全に閉じる前に口型１を開き始められるのでさらなる高速稼動の要求に応えられる。
【００２９】
以上のような案内機能を発揮する嵌合部１１は、図１、図２、図３に示すような口型・ガイドリング組合せ構造において、ガイドリング６と口型１との嵌合部１１間に、口型１の開き動作時にガイドリング６の回転を防止するよう、前記嵌合状態を満足するか、あるいは前記嵌合状態を阻害しないで、口型１の開閉方向Ｘに平行に相対移動しながら当り合う当り部１２ａ、１２ｂを設けたものとして実現することができる。このような当り部１２ａ、１２ｂは、基本的には口型１の開閉方向Ｘで見たガイドリング６の投影輪郭、つまり開閉方向軸２１まわりの周方向外形面と、これに適合する開閉方向Ｘに直交する断面形状を持ったポケット部１ａ１、１ｂ１内面との嵌合によって、開閉方向軸２１まわりの全周において得られる。しかし、これでは嵌合部１１の開閉方向軸２１まわり全周で嵌合精度を満足する必要があるし、各口型半体１ａ、１ｂ開閉時の摺動抵抗が徒に高くなるだけである。
【００３０】
ガイドリング６の回転、つまり軸線２２まわりの振れを防止するには、口型１の開閉方向Ｘに連続するか、連続しなくても少なくとも２箇所以上で常時当り合う当り部１２ａ、１２ｂが開閉方向軸２１まわりに部分的に位置していれば足り、このような当り部１２ａ、１２ｂの相対移動関係は口型１の開閉方向Ｘに一致しているかぎり各口型半体１ａ、１ｂのＸ方向での開閉動作を阻害しない。従って、当り部１２ａ、１２ｂは開閉方向軸２１まわりの全周に設けられるか、部分的に設けられるかの別なく、口型１の開閉を許容するのに併せ、口型１とガイドリング６との当り部１２ａ、１２ｂどうしの当り合いによって、開かれる口型１に対して、従って各口型半体１ａ、１ｂに対して、ガイドリング６が回転するのを防止するように案内することができる。
【００３１】
また、当り部１２ａ、１２ｂは図１、図２、図３に示すように固定部として、さらには口型１やガイドリング６の一部がなす固定部として設けると構成がより簡単で製作がさらに楽になる。このように固定的な当り部１２ａ、１２ｂは口型１の開閉時にその開閉方向Ｘに摺動し合う摺動部をなし、口型１が直線的に開閉されるのにその開閉方向Ｘに摺動し合うことにより、口型１の開閉を許容するのに併せ、口型１の開閉動作時のガイドリング６が軸線２２まわりに回転するのを確実に防止することができる。
【００３２】
当り部１２ａ、１２ｂがなす摺動部は、口型１の開閉方向Ｘに連続することが必須とはならないが、図１、図２、図３に示すように口型１の開閉方向Ｘに連続した面をなしていることにより、口型１の開閉ストロークの全域で摺動し合う当り関係を得て各口型半体１ａ、１ｂによるガイドリングの回転防止機能を確保しやすくなり、摺動域は各口型半体１ａ、１ｂの開閉ストロークよりも大きくすることで、各口型半体１ａ、１ｂの開き始点、閉じ終点のいずれにおいても、またさらなる高速稼動時においても、各口型半体１ａ、１ｂによるガイドリング６の回転を防止するガイド関係が崩れることはなく、長期に安定して開閉動作することができる。
【００３３】
また、当り部１２ａ、１２ｂは図１、図２、図３に示すように、口型１の開閉方向Ｘに摺動し合う凹凸嵌合部としてあると、当り部１２ａ、１２ｂの凹凸嵌合する嵌合構造上、必要に応じ、凹凸嵌合部間の幅方向の当り合い関係と、凹凸嵌合部の高さ方向での当り合い関係とを利用した２方向に振れを防止する直進案内機能が得られ、口型１にそれを開閉できるようにガイドリング６を嵌合保持し、かつ、ガイドリング６が口型１に対して回転するのを防止する案内とに併用できるし、嵌合部１１の口型１の開閉方向Ｘで見た輪郭の周方向１箇所にだけガイドリング６の軸線２２に直角な平面上で見た凹凸嵌合部の開閉方向Ｘに直角な向きＹでの当り合い関係によってガイドリング６の回転を防止することができる。
【００３４】
図１、図２、図３に示す例では、特に、各口型半体１ａ、１ｂがそのポケット部１ａ１、１ｂ１とガイドリング６の型部６ａの基部まわりに設けたフランジ部６ｂとの間を、各口型半体１ａ、１ｂが開閉時にガイドリング６を摺動保持し、かつその回転を防止する嵌合部１１とし、必要加工域が少なくなるようにしてあるのに対応して、当り部１２ａ、１２ｂはガイドリング６のフランジ部６ｂの側縁がなす凸嵌合部と、口型１のポケット部１ａ１、１ｂ１におけるフランジ部６ｂを受け入れる溝状の端部がなす凹嵌合部としてある。これにより、ガイドリング６のフランジ部６ｂの一側、およびこれを受け入れる口型１のポケット部１ａ１、１ｂ１がなす溝状部の一側端部を、口型１の開閉方向Ｘに向く直線形状とするだけで、ガイドリング６の回転防止機能が得られる。しかも、図示例のように、当り部１２ｂである凸嵌合部がガイドリング６のフランジ部６ｂの両側縁であり、当り部１２ａである凹嵌合部が口型１のフランジ部６ｂを受け入れるポケット部１ａ１、１ｂ１がなしている溝状の両端部であると、ガイドリング６の両側およびこれを受け入れる口型１のポケット部１ａ１、１ｂ１がなす溝状部の両端部を口型１の開閉方向Ｘに向く直線形状とするだけで、ガイドリング６の回転防止機能をポケット部１ａ１、１ｂ１の両側からの挟み込み状態で安定に与えられる。しかし、図示するフランジ部６ｂおよびポケット部１ａ１、１ｂ１の両側にある当り部１２ａ、１２ｂは片側でもよいし、図３に仮想線で示すように平面視円形なポケット部１ａ１、１ｂ１とフランジ部６ｂのままでそれらの下面および底面の１箇所ずつ設けた凸嵌合部と凹凸嵌合部をなす当り部１２ａ、１２ｂどうしであっても、それが凹凸嵌合する嵌合構造上、前記Ｙ方向での当りによって開閉される口型１によるガイドリング６の回転防止機能を確保しやすくなる。この場合、図３の仮想線で示すように左右の一方に偏心させているのは、口型１がストローク一杯開かれても当り部１２ａ、１２ｂどうしの当り合いが確保しやすいためである。図３に仮想線で示すように平面視円形なままのフランジ部６ｂとそれを嵌合するポケット部１ａ１、１ｂ１との間であれば、さらに大きく偏心した位置に設けられる。なお、図３に仮想線で示すような一箇所ずつの凸嵌合部と凹嵌合部をなす偏心位置の当り部１２ａ、１２ｂどうしは、フランジ部６ｂの上面側に設けることもできる。
【００３５】
さらに、図１、図２、図３に示す当り部１２ａ、１２ｂの当り合いによる案内域は、各口型半体１ａ、１ｂのポケット部１ａ１、１ｂ１双方にほぼ均等に跨って設けてある。このように当り部１２ａ、１２ｂによる案内域が各口型半体１ａ、１ｂ双方にほぼ均等に跨っていると、当り部１２ａ、１２ｂによる口型１のガイドリング６に対する案内域を大きく得やすいし、このガイドリング６に対する案内が、各口型半体１ａ、１ｂ双方とのほぼ均等な抵抗配分のもとに達成されて、ガイドリング６の回転はもとより、ガイドリング６が各口型半体１ａ、１ｂとの開き抵抗の大きな側に片寄るようなことをも防止しやすい。
【００３６】
なお、当り部１２ａ、１２ｂは、開閉方向Ｘに連続した摺動部をなすような場合でも、Ｙ方向に当り合う面どうし、あるいは一方の面をいわゆる蒲鉾型にするなどして、線状の接触部で摺動し合うようにすると、開閉抵抗をすくなくすることができる。また、当り部１２ａ、１２ｂはその形状の如何にかかわらずどのように形成されてもよい。
【産業上の利用可能性】
【００３７】
本発明は製びんに実用でき、簡単な口型・ガイドリング組合せ構造にて、仕上げ型に移したパリソンを口型開き時に向きを変化させないで仕上げ成形できる。
【図面の簡単な説明】
【００３８】
【図１】本発明の実施の形態に係る口型・ガイドリング組合せ構造を、開き状態と閉じ状態とで見た口型開き方向での縦断面図である。
【図２】図１の口型・ガイドリング組合せ構造の開き状態と閉じ状態とで見た横断面図である。
【図３】図１の口型・ガイドリング組合せ構造の一部を分解して見た斜視図である。
【図４】図１の口型・ガイドリング組合せ構造を採用して製びん機の概略構成を示す説明図である。
【図５】従来の口型・ガイドリング組合せ構造の開き状態と閉じ状態とで見た平面図である。
【図６】図５の口型・ガイドリング組合せ構造の一部を分解して見た斜視図である。
【符号の説明】
【００３９】
１  口型
１ａ、１ｂ  口型半体
１ａ１、１ｂ１  ポケット部
２  粗型
２ａ、２ｂ  粗型半体
３  バッフル
４  パリソン
４ａ  口部
５  仕上げ型
５ａ、５ｂ  仕上げ型半体
６  ガイドリング
６ａ  型部
６ｂ  フランジ部
１１  嵌合部
１２ａ、１２ｂ  当り部
２１  開閉方向軸
２２  軸線
Ｘ  開閉方向
Ｙ  当り方向
【図１】
2006206357.tif 000003
【図２】
2006206357.tif 000004
【図３】
2006206357.tif 000005
【図４】
2006206357.tif 000006
【図５】
2006206357.tif 000007
【図６】
2006206357.tif 000008